(57)【要約】【課題】送信装置にマイコンを搭載することなく、送信装置から送信した送信データを特定の受信装置で受信できるようにする。【解決手段】送信装置１０は、送信アドレスおよび送信データに応じて信号長が異なるように規定された送信信号を送信し、受信装置２０は、一定周波数のクロック信号を生成するクロック生成部２３と、クロック生成部２３により生成されたクロック信号に基づいて送信回路より送信された送信信号の信号長をカウントするカウンタ２４を備え、カウンタのカウント値に基づいて送信アドレスおよび送信データを特定する。【選択図】図４
2016063303.tif 000002
【特許請求の範囲】
【請求項１】
送信装置（１０）と受信装置（２０）を備えた通信システムであって、
前記送信装置は、
送信アドレスおよび送信データに応じて信号長が異なるように規定された送信信号を送信する送信回路（１１〜１６）を備え、
前記受信装置は、
一定周波数のクロック信号を生成するクロック生成部（２３）と、
前記クロック生成部により生成された前記クロック信号に基づいて前記送信回路より送信された前記送信信号の信号長をカウントするカウンタ（２４）と、
前記カウンタのカウント値に基づいて前記送信アドレスおよび前記送信データを特定する特定手段（２５〜２７）と、を備えたことを特徴とする通信システム。
【請求項２】
前記受信装置は、前記送信装置より送信された前記送信信号を受信すると、該送信信号と同じ信号長の返信信号を前記送信装置に送信する返信信号送信回路（２８ｂ〜２８ｅ）を備えたことを特徴とする請求項１に記載の通信システム。
【請求項３】
前記送信装置は、前記返信信号の信号長が前記送信信号と異なる場合、前記送信回路に前記送信信号を再送信させる再送信制御部（１９）を備えたことを特徴とする請求項２に記載の通信システム。
【請求項４】
前記送信装置（１０）と前記受信装置（２０）は、電力線を介して接続されており、
前記送信回路は、前記送信信号として搬送波信号を前記電力線に重畳させることを特徴とする請求項１に記載の通信システム。
【請求項５】
前記送信装置は、前記電力線に搬送波信号が重畳されているか否かを検出する搬送波信号検出手段（１９）を備え、
前記送信回路は、前記搬送波信号検出手段により前記電力線に搬送波信号が重畳されていないことが検出された場合、前記送信信号を送信することを特徴とする請求項４に記載の通信システム。
【請求項６】
前記受信装置は、前記送信信号の受信が完了してから第１の期間（Ｔ０）が経過した後、前記送信信号と同じ信号長の返信信号を前記送信装置に送信する返信信号送信部（２８ｂ〜２８ｅ）を備えたことを特徴とする請求項４に記載の通信システム。
【請求項７】
前記送信回路は、前記第１の期間（Ｔ０）よりも長い第２の期間（Ｔ２）、前記搬送波信号検出手段により前記電力線に搬送波信号が重畳されていないことが検出された場合、前記送信信号を送信することを特徴とする請求項６に記載の通信システム。
【発明の詳細な説明】
【技術分野】
【０００１】
本発明は、送信装置と受信装置を備えた通信システムに関するものである。
【背景技術】
【０００２】
従来、送信装置と受信装置を備えた通信システムにおいて、送信装置と受信装置のそれぞれに通信機能を有するマイコンを搭載し、各マイコンの通信ソフト処理に従って送信装置から特定の受信装置へデータを送信するようにしたものがある（例えば、特許文献１参照）。
【先行技術文献】
【特許文献】
【０００３】
【特許文献１】特開２０１２−４９８８５号公報
【発明の概要】
【発明が解決しようとする課題】
【０００４】
しかしながら、上記特許文献１に記載されたようなシステムは、例えば、１つのスイッチのオンオフ信号を送信装置から送信する場合のように、送信装置から送信されるデータが少ない場合でも、送信装置に搭載したマイコンの通信ソフト処理によってデータの送信が行われるようになっているので、部品コストが高くなってしまうといった問題がある。また、ソフトを開発するための費用も必要となる。
【０００５】
本発明は上記問題に鑑みたもので、送信装置にマイコンを搭載することなく、送信装置から送信した送信データを特定の受信装置で受信できるようにすることを目的とする。
【課題を解決するための手段】
【０００６】
上記目的を達成するため、請求項１に記載の発明は、送信装置（１０）と受信装置（２０）を備えた通信システムであって、送信装置は、送信アドレスおよび送信データに応じて信号長が異なるように規定された送信信号を送信する送信回路（１１〜１６）を備え、受信装置は、一定周波数のクロック信号を生成するクロック生成部（２３）と、クロック生成部により生成されたクロック信号に基づいて送信回路より送信された送信信号の信号長をカウントするカウンタ（２４）と、カウンタのカウント値に基づいて送信アドレスおよび送信データを特定する特定手段（２５〜２７）と、を備えたことを特徴としている。
【０００７】
このような構成によれば、送信装置は、送信アドレスおよび送信データに応じて信号長が異なるように規定された送信信号を送信し、受信装置は、一定周波数のクロック信号を生成するクロック生成部（２３）と、クロック生成部により生成されたクロック信号に基づいて送信回路より送信された送信信号の信号長をカウントするカウンタ（２４）と、カウンタのカウント値に基づいて送信アドレスおよび送信データを特定するので、送信装置にマイコンを搭載することなく、送信装置から送信した送信データを特定の受信装置で受信することができる。
【０００８】
なお、この欄および特許請求の範囲で記載した各手段の括弧内の符号は、後述する実施形態に記載の具体的手段との対応関係を示すものである。
【図面の簡単な説明】
【０００９】
【図１】本発明の一実施形態に係る通信システムの構成を示す図である。
【図２】送信装置より送出される搬送波信号と送信信号について説明するための図である。
【図３】電力線に重畳された搬送波信号と検波信号について説明するための図である。
【図４】送信装置から送出される送信信号の信号長と受信装置のカウンタのカウント値との関係を示した図である。
【図５】送信信号と返信信号のタイミングについて説明するための図である。
【発明を実施するための形態】
【００１０】
本発明の一実施形態に係る通信システムの構成を図１に示す。本通信システムは、車両に搭載され、電力線３０を通信媒体とする電力線通信を行う送信装置１０と受信装置２０を備えている。本実施形態における通信システムは、＃１〜＃３の送信装置１０と＃１〜＃３の受信装置２０を備えた構成となっている。なお、＃１の送信装置１０は＃１の受信装置２０と通信するようになっている。また、＃２の送信装置１０は＃２の受信装置２０と通信し、＃３の送信装置１０は＃３の受信装置２０と通信するようになっている。
【００１１】
まず、送信装置１０の構成について説明する。送信装置１０は、スイッチ群１１、パルス発生器１２、切替部１３、電源切替部１４、発振器１５、送信機１６、受信検波部１７、搬送波モニタ１８、再送信制御部１９を備えている。なお、スイッチ群１１、パルス発生器１２、切替部１３、電源切替部１４、発振器１５、送信機１６は、特許請求の範囲の送信回路に相当する。また、搬送波モニタ１８は、搬送波信号検出手段に相当する。なお、送信装置１０を構成している各回路は、マイコンを用いることなく構成されている。
【００１２】
スイッチ群１１は、ユーザ操作に応じてオンまたはオフするスイッチ１１ａ〜１１ｄを有している。ユーザによりスイッチ１１ａが操作されると、スイッチ１１ａからパルス発生器１２にローレベルの信号が入力される。また、ユーザによりスイッチ１１ｂが操作されると、スイッチ１１ｂからパルス発生器１２にローレベルの信号が入力され、ユーザによりスイッチ１１ｃが操作されると、スイッチ１１ｃからパルス発生器１２にローレベルの信号が入力され、ユーザによりスイッチ１１ｄが操作されると、スイッチ１１ｄからパルス発生器１２にローレベルの信号が入力される。なお、本実施形態におけるスイッチ１１ａ〜１１ｄは、それぞれ再送信制御部１９からの指示によってもパルス発生器１２にローレベルの信号を出力するようになっている。
【００１３】
パルス発生器１２は、スイッチ１１ａ〜１１ｄより入力される信号がハイレベルからローレベルに変化すると、この立ち下がりをトリガとして、予め定められたパルス幅のパルス信号を発生する。なお、各スイッチ１１ａ〜１１ｄにより、パルス発生器１２で生成されるパルス信号のパルス幅は異なる。また、パルス発生器１２で生成されるパルス信号のパルス幅は＃１〜＃３の送信装置１０によっても異なる。このパルス信号のパルス幅については、後で詳細に説明する。
【００１４】
切替部１３は、パルス発生器１２で生成されたパルス信号を電源切替部１４に入力するか否かの切替を行う。切替部１３は、後述する搬送波モニタ１８により送信可能フラグがメモリ（図示せず）に記憶されている場合、パルス発生器１２で生成されたパルス信号を電源切替部１４へ入力し、送信可能フラグがメモリから消去されている場合、パルス発生器１２で生成されたパルス信号を電源切替部１４へ入力しないように切り替えを行う。
【００１５】
電源切替部１４は、発振器１５への電源供給の切替を行うものである。なお、発振器１５以外の回路は、電源切替部１４の切替と関係なく電源が供給されるようになっている。電源切替部１４は、切替部１３を介してパルス発生器１２により生成されたパルス信号が入力されると、このパルス信号の入力されている期間だけ発振器１５へ電源を供給する。すなわち、発振器１５には、パルス発生器１２より生成されたパルス信号が電源切替部１４に入力されている期間だけ電源が投入されるようになっている。
【００１６】
発振器１５は、一定周波数の搬送波信号を生成するものである。発振器１５は、水晶発振器あるいはリングオシレータ等を用いて構成することができる。発振器１５は、電源切替部１４に電源が投入されている期間中、すなわち、パルス発生器１２より生成されたパルス信号のパルス幅Ｔ１と同じ期間、一定周波数の搬送波信号を出力する。
【００１７】
送信機１６は、電力線３０に、発振器１５より出力される搬送波信号を重畳させるものである。本実施形態における送信機１６は、図２に示すように、発振器１５より出力される搬送波信号を送信信号として送信する。
【００１８】
受信検波部１７は、電力線３０に重畳された搬送波信号を検波する。受信検波部１７は、電力線３０に重畳された搬送波信号を検波すると、図３に示すような、パルス状の検波信号を出力する。すなわち、受信検波部１７は、送信信号の受信開始と同時に立ち上がり、送信信号の受信完了と同時に立ち下がるパルス状の検波信号を出力する。
【００１９】
搬送波モニタ１８は、送信機１６より出力される搬送波信号と、受信検波部１７より出力される検波信号に基づいて、他の送信装置１０が搬送波信号を電力線３０に送出しているか否かを検出する。搬送波モニタ１８は、他の送信装置１０および受信装置２０が後述する第２期間Ｔ２以上継続して搬送波信号を送出していないことが検出された場合、送信可能フラグをメモリ（図示せず）に記憶させ、他の送信装置１０および受信装置２０が搬送波信号を送出していることが検出された場合、送信可能フラグをメモリから消去する。
【００２０】
また、搬送波モニタ１８は、送信機１６より送信される送信信号の信号長を計測する第１カウンタと、送信信号に応答して受信装置２０より送信される返信信号（ＡＣＫ）の信号長を計測する第２カウンタと、送信機１６より送信信号が送信されてからの時間を計測する第３カウンタを有している。
【００２１】
搬送波モニタ１８は、第１カウンタを用いて送信機１６より送信される送信信号の信号長を計測するとともに、第２カウンタを用いて返信信号（ＡＣＫ）の信号長を計測し、第１カウンタのカウント値と第２カウンタのカウント値が一致しない場合、再送信フラグをメモリ（図示せず）に記憶させる。また、搬送波モニタ１８は、送信機１６より送信信号が送信されてから規定時間が経過して第３カウンタのカウント値が規定値となった場合でも、返信信号（ＡＣＫ）が受信されず、第２カウンタがカウントアップしていない場合、再送信フラグをメモリ（図示せず）に記憶させる。また、搬送波モニタ１８は、第１カウンタのカウント値と第２カウンタのカウント値が一致する場合、再送信フラグをメモリから消去する。
【００２２】
再送信制御部１９は、送信信号に応答して受信装置２０より送信される返信信号（ＡＣＫ）の信号長が送信信号と異なる場合に、送信信号を再送信させるものである。再送信制御部１９は、スイッチ１１ａ〜１１ｄのうち最後に操作されたスイッチを記憶し、搬送波モニタ１８により再送信フラグがメモリに記憶されると、同じ送信信号を再送信するように、最後に操作されたスイッチをオン制御してパルス発生器１２より予め定められたパルス幅のパルス信号を発生させる。
【００２３】
次に、受信装置２０の構成について説明する。受信装置２０は、受信検波部２１、電源切替部２２、クロック生成部（図中では、ＣＬＫと記す）２３、カウンタ２４、デコーダ２５、レジスタ２６、データ処理部２７、パルス生成部２８ａ、遅延回路２８ｂ、電源切替部２８ｃ、発振器２８ｄおよび送信機２８ｅを備えている。なお、デコーダ２５、レジスタ２６およびデータ処理部２７は特許請求の範囲の特定手段に相当する。また、パルス生成部２８ａ、遅延回路２８ｂ、電源切替部２８ｃ、発振器２８ｄおよび送信機２８ｅは返信信号送信部に相当する。
【００２４】
受信検波部２１は、電力線３０に重畳された搬送波信号を検波する。受信検波部２１は、電力線３０に重畳された搬送波信号を検波すると、図３に示すような、パルス状の検波信号を出力する。
【００２５】
電源切替部２２は、クロック生成部２３とカウンタ２４への電源の切替を行う。なお、クロック生成部２３とカウンタ２４以外の回路は、電源切替部２２の切替と関係なく電源が供給されるようになっている。
【００２６】
電源切替部２２は、受信検波部２１より検波信号が出力されると、クロック生成部２３とカウンタ２４に電源を供給し、受信検波部２１より検波信号が出力されなくなると、クロック生成部２３とカウンタ２４への電源の供給を停止する。
【００２７】
クロック生成部２３は、電源切替部２２より電源が供給されると一定周波数のクロック信号をカウンタ２４へ出力する。また、クロック生成部２３は、電源切替部２２より電源が供給されなくなると動作を停止して信号を出力しなくなる。
【００２８】
カウンタ２４は、クロック生成部２３により生成されたクロック信号の立ち上がりエッジでカウントアップする４段のバイナリカウンタとして構成されている。カウンタ２４は、電源切替部２２より電源が供給され、クロック生成部２３により生成されたクロック信号が入力されると、クロック信号の立ち上がりエッジに応じてカウントアップする。また、電源切替部２２より電源が供給されなくなると、カウンタ２４は動作しなくなる。
【００２９】
カウンタ２４は、送信装置１０から送信信号として送信された搬送波信号の受信開始から受信終了までの期間、すなわち、受信検波部２１より出力される検波信号の立ち上がりから立ち下がりまでの期間、電源切替部２２より電源が供給され、クロック信号の立ち上がりエッジの数をカウントする。
【００３０】
カウンタ２４は、４ビットの出力端子Ｑ０〜Ｑ３を有しており、これらの出力端子Ｑ０〜Ｑ３からカウンタ２４のカウント値が出力される。なお、出力端子Ｑ０はＬＳＢ、出力端子Ｑ３はＭＳＢとなっている。
【００３１】
本通信システムにおいて、受信装置２０は、カウンタ２４のカウント値に基づいて送信信号の送信データおよび送信アドレスを特定するようになっている。本カウンタ２４の出力端子Ｑ０は送信データのＤ０（ＬＳＢ）に対応し、カウンタ２４の出力端子Ｑ１は送信データのＤ１（ＭＳＢ）に対応している。また、カウンタ２４の出力端子Ｑ２は送信アドレスのＡＤ０（ＬＳＢ）に対応し、カウンタ２４の出力端子Ｑ３は送信アドレスのＡＤ１（ＭＳＢ）に対応している。
【００３２】
デコーダ２５は、カウンタ２４の出力端子Ｑ２（ＡＤ０）と出力端子Ｑ３（ＡＤ１）により特定されるアドレス値が、割り当てられた自己アドレスとなったときにレジスタ２６をセットし、カウンタ２４より出力されるアドレス値が、割り当てられた自己アドレス＋１となったときにレジスタ２６をリセットする。なお、＃１〜＃３の受信装置２０には、それぞれ異なる自己アドレスが割り当てられている。したがって、各受信装置２０によりデコーダ２５の構成は異なっている。
【００３３】
レジスタ２６は、受信検波部２１より出力される検波信号の立ち下がりに応じて、記憶している状態（セットまたはリセット）を出力する。本実施形態では、セット状態が記憶されている場合には、レジスタ２６からハイレベルの信号が出力され、リセット状態が記憶されている場合には、レジスタ２６からローレベルの信号が出力されるようになっている。
【００３４】
データ処理部２７は、レジスタ２６からセットを示すハイレベルの信号が入力されると、カウンタ２４の出力端子Ｑ０、Ｑ１より出力される送信データＤ０（ＬＳＢ）、Ｄ１（ＭＳＢ）を内部メモリに取り込み、レジスタ２６からリセットを示すローレベルの信号が入力されると、カウンタ２４の出力端子Ｑ０、Ｑ１より出力される送信データＤ０（ＬＳＢ）、Ｄ１（ＭＳＢ）の取り込みを禁止する。
【００３５】
本通信システムにおける受信装置２０は、送信装置１０から送信信号を受信してから一定期間Ｔ０が経過すると、受信した送信信号と同じ信号長の返信信号（ＡＣＫ）を送出するようになっている。パルス生成部２８ａ、遅延回路２８ｂ、電源切替部２８ｃ、発振器２８ｄおよび送信機２８ｅは、返信信号（ＡＣＫ）を送出するための回路である。
【００３６】
パルス生成部２８ａは、カウンタおよびデコーダ（いずれも図示せず）を有し、受信検波部２１より出力される検波信号と同じパルス幅のパルス信号を生成し、レジスタ２６から出力されるハイレベルの信号が入力されると、生成したパルス信号を遅延回路２８ｂへ出力する。なお、パルス生成部２８ａは、レジスタ２６からローレベルの信号が入力されている場合、パルス信号を遅延回路２８ｂへ出力しない。
【００３７】
遅延回路２８ｂは、パルス生成部２８ａにより生成されたパルス信号が入力されると、この信号を第１の期間Ｔ０、遅延させて電源切替部２８ｃに出力する。
【００３８】
電源切替部２８ｃは、発振器２８ｄへの電源供給の切替を行うものである。電源切替部２８ｃは、遅延回路２８ｂよりパルス信号が入力されると、このパルス信号の入力されている期間だけ発振器２８ｄへ電源を供給する。
【００３９】
発振器２８ｄは、一定周波数の搬送波信号を生成するものである。発振器２８ｄは、電源切替部２８ｃに電源が投入されている期間中、すなわち、パルス生成部２８ａにより生成されたパルス信号のパルス幅と同じ期間、一定周波数の搬送波信号を返信信号（ＡＣＫ）として出力する。
【００４０】
送信機２８ｅは、電力線３０に、発振器２８ｄより出力される搬送波信号を重畳させるものである。本実施形態における送信機２８ｅは、発振器２８ｄより出力される搬送波信号を返信信号（ＡＣＫ）として送信する。
【００４１】
本通信システムにおける送信装置１０は、図４に示すように、送信データおよび送信アドレスに応じて信号長が異なるように規定された送信信号を送信するようになっている。また、受信装置２０の受信検波部２１は、送信装置１０より送信された送信信号を検波する。また、電源切替部２２は、受信検波部２１より出力される検波信号の立ち上がりに応じてクロック生成部２３とカウンタ２４へ電源を供給する。クロック生成部２３とカウンタ２４は、電源切替部２２より電源が供給されると、それぞれ動作を開始する。カウンタ２４は、検波信号の立ち上がりから検波信号の立ち下がりまでの期間、すなわち送信信号の信号長をカウントし、カウンタ２４のカウント値に基づいて送信データおよび送信アドレスが特定されるようになっている。
【００４２】
本実施形態において、＃１の送信装置１０のスイッチ１１ａがユーザ操作に応じてオンすると、パルス発生器１２よりスイッチ１１ａに応じたパルス幅のパルス信号が出力され、図４（ａ）に示す信号長の送信信号が＃１の送信装置１０から送信される。
【００４３】
すなわち、＃１の送信装置１０から、受信装置２０のクロック生成部２３で生成される３クロック＋αに相当する信号長の送信信号が出力される。ここで、αは１クロック未満となっている。この送信信号は、１０進数で、送信アドレス＝１、送信データ＝０とする信号長となっている。
【００４４】
また、＃１の送信装置１０のスイッチ１１ｂがユーザ操作に応じてオンすると、パルス発生器１２よりスイッチ１１ｂに応じたパルス幅のパルス信号が出力され、図４（ｂ）に示す信号長の送信信号が＃１の送信装置１０から送信される。
【００４５】
すなわち、＃１の送信装置１０から、受信装置２０のクロック生成部２３で生成される４クロック＋αに相当する信号長の送信信号が出力される。この送信信号は、１０進数で、送信アドレス＝１、送信データ＝１とする信号長となっている。
【００４６】
また、＃１の送信装置１０のスイッチ１１ｃがユーザ操作に応じてオンすると、パルス発生器１２よりスイッチ１１ｃに応じたパルス幅のパルス信号が出力され、図４（ｃ）に示す信号長の送信信号が＃１の送信装置１０から送信される。
【００４７】
すなわち、＃１の送信装置１０から、受信装置２０のクロック生成部２３で生成される５クロック＋αに相当する信号長の送信信号が出力される。この送信信号は、１０進数で、送信アドレス＝１、送信データ＝２とする信号長となっている。
【００４８】
また、＃１の送信装置１０のスイッチ１１ｄがユーザ操作に応じてオンすると、パルス発生器１２よりスイッチ１１ｄに応じたパルス幅のパルス信号が出力され、図４（ｄ）に示す信号長の送信信号が＃１の送信装置１０から送信される。
【００４９】
すなわち、＃１の送信装置１０から、受信装置２０のクロック生成部２３で生成される６クロック＋αに相当する信号長の送信信号が出力される。この送信信号は、１０進数で、送信アドレス＝１、送信データ＝３とする信号長となっている。
【００５０】
また、例えば、＃２の送信装置１０のスイッチ１１ｃがユーザ操作に応じてオンすると、パルス発生器１２よりスイッチ１１ｃに応じたパルス幅のパルス信号が出力され、図４（ｅ）に示す信号長の送信信号が＃２の送信装置１０から送信される。
【００５１】
すなわち、＃１の送信装置１０から、受信装置２０のクロック生成部２３で生成される９クロック＋αに相当する信号長の送信信号が出力される。この送信信号は、１０進数で、送信アドレス＝２、送信データ＝２とする信号長となっている。
【００５２】
また、例えば、＃３の送信装置１０のスイッチ１１ｃがユーザ操作に応じてオンすると、パルス発生器１２よりスイッチ１１ｃに応じたパルス幅のパルス信号が出力され、図４（ｆ）に示す信号長の送信信号が＃３の送信装置１０から送信される。
【００５３】
すなわち、＃１の送信装置１０から、受信装置２０のクロック生成部２３で生成される１３クロック＋αに相当する信号長の送信信号が出力される。この送信信号は、１０進数で、送信アドレス＝３、送信データ＝２とする信号長となっている。
【００５４】
図４（ａ）に示すような信号長の送信信号が送信装置１０から送信されると、受信装置２０のカウンタ２４は、送信信号の受信開始から受信終了までの期間をカウントし、カウント値が「０１００」となったところで、カウントを停止する。このとき、送信アドレスＡＤ１＝０、送信アドレスＡＤ０＝１、送信データＤ１＝０、送信データＤ０＝０となる。
【００５５】
また、図４（ｂ）に示すような信号長の送信信号が送信装置１０から送信されると、受信装置２０のカウンタ２４は、送信信号の受信開始から受信終了までの期間をカウントし、カウント値が「０１０１」となったところで、カウントを停止する。すなわち、送信アドレスＡＤ１＝０、送信アドレスＡＤ０＝１、送信データＤ１＝０、送信データＤ０＝１となる。
【００５６】
また、図４（ｃ）に示すような信号長の送信信号が送信装置１０から送信されると、受信装置２０のカウンタ２４は、送信信号の受信開始から受信終了までの期間をカウントし、カウント値が「０１１０」となったところで、カウントを停止する。すなわち、送信アドレスＡＤ１＝０、送信アドレスＡＤ０＝１、送信データＤ１＝１、送信データＤ０＝０となる。
【００５７】
また、図４（ｄ）に示すような信号長の送信信号が送信装置１０から送信されると、受信装置２０のカウンタ２４は、送信信号の受信開始から受信終了までの期間をカウントし、カウント値が「０１１１」となったところで、カウントを停止する。すなわち、送信アドレスＡＤ１＝０、送信アドレスＡＤ０＝１、送信データＤ１＝１、送信データＤ０＝１となる。
【００５８】
また、例えば、図４（ｅ）に示すような信号長の送信信号が送信装置１０から送信されると、受信装置２０のカウンタ２４は、送信信号の受信開始から受信終了までの期間をカウントし、カウント値が「１０１０」となったところで、カウントを停止する。すなわち、送信アドレスＡＤ１＝１、送信アドレスＡＤ０＝０、送信データＤ１＝１、送信データＤ０＝０となる。
【００５９】
また、図４（ｆ）に示すような信号長の送信信号が送信装置１０から送信されると、受信装置２０のカウンタ２４は、送信信号の受信開始から受信終了までの期間をカウントし、カウント値が「１１１０」となったところで、カウントを停止する。すなわち、送信アドレスＡＤ１＝１、送信アドレスＡＤ０＝１、送信データＤ１＝１、送信データＤ０＝０となる。
【００６０】
このように、送信装置１０より送信される送信信号の信号長に応じて、受信装置２０のカウンタ２４のカウント値が異なるようになっており、カウンタ２４のカウント値に基づいて送信アドレスＡＤ１、ＡＤ０および送信データＤ１、Ｄ０が特定される。
【００６１】
また、デコーダ２５は、カウンタ２４の出力端子Ｑ２（ＡＤ０）と出力端子Ｑ３（ＡＤ１）により特定されるアドレス値が、自己アドレスとなったときにレジスタ２６をセットし、カウンタ２４より出力されるアドレス値が、割り当てられた自己アドレス＋１となったときにレジスタ２６をリセットする。
【００６２】
なお、本実施形態において、＃１の受信装置２０には、１０進数の１が自己アドレスに割り当てられており、＃２の受信装置２０には１０進数の２が自己アドレスに割り当てられており、＃３の受信装置２０には１０進数の３が自己アドレスに割り当てられている。
【００６３】
したがって、＃１の受信装置２０のデコーダ２５は、カウンタ２４より出力されるアドレス値が１０進数の１になるとレジスタ２６をセットし、カウンタ２４より出力されるアドレス値が２になるとレジスタ２６をリセットする。このとき、＃２〜＃３の受信装置２０のデコーダ２５は、レジスタ２６をリセットしたままとなる。
【００６４】
また、＃２の受信装置２０のデコーダ２５は、カウンタ２４より出力されるアドレス値が１０進数の２になるとレジスタ２６をセットし、カウンタ２４より出力されるアドレス値が３になるとレジスタ２６をリセットする。
【００６５】
ただし、＃３の受信装置２０のデコーダ２５は、カウンタ２４より出力されるアドレス値が１０進数の３になるとレジスタ２６をセットし、カウンタ２４より出力されるアドレス値が０になるとレジスタ２６をリセットする。
【００６６】
レジスタ２６は、送信信号の送信完了時、すなわち、受信検波部２１より出力される検波信号の立ち下がりに応じて、記憶している状態（セットまたはリセット）を出力する。
【００６７】
また、データ処理部２７は、レジスタ２６からセット状態を示すハイレベルの信号が入力されると、カウンタ２４の出力端子Ｑ０、Ｑ１より出力される送信データＤ０（ＬＳＢ）、Ｄ１（ＭＳＢ）を内部メモリに取り込む。
【００６８】
このようにして、＃１の送信装置１０から送信された送信データが＃１の受信装置２０のデータ処理部２７に取り込まれる。また、＃２の送信装置１０から送信された送信データが＃２の受信装置２０のデータ処理部２７に取り込まれる。また、＃３の送信装置１０から送信された送信データが＃３の受信装置２０のデータ処理部２７に取り込まれる。
【００６９】
なお、＃１〜＃３の受信装置２０は、それぞれデコーダ２５の構成が異なっているため、例えば、＃１の送信装置１０から送信された送信データが＃１の受信装置２０のデータ処理部２７に取り込まれても、＃２〜＃３の受信装置２０のデータ処理部２７には取り込まれることはない。
【００７０】
また、本実施形態における受信装置２０の返信信号送信部は、図５に示したように、送信信号の受信が完了してから第１の期間Ｔ０が経過した後、返信信号（ＡＣＫ）を送信するようになっている。
【００７１】
ところで、ある受信装置２０が送信信号の受信に応答して返信信号（ＡＣＫ）を送信する前に、別の送信装置１０が送信信号の送信を開始してしまうと、この送信信号と返信信号（ＡＣＫ）とが衝突してしまう可能性がある。このような衝突を回避するため、本通信システムの送信装置１０は、第１の期間Ｔ０よりも長い第２の期間Ｔ２、搬送波信号が重畳されていないことが検出された場合、送信信号を送信するようになっている。
【００７２】
また、送信装置１０の再送信制御部１９は、送信装置１０が受信装置２０へ送信信号を送信してから該送信信号と同じ信号長の返信信号が規定時間内に受信されない場合、送信回路（１１〜１６）から送信信号を再送信させるようになっている。
【００７３】
上記した構成によれば、送信装置１０は、送信アドレスおよび送信データに応じて信号長が異なるように規定された送信信号を送信し、受信装置２０は、一定周波数のクロック信号を生成するクロック生成部２３と、クロック生成部２３により生成されたクロック信号に基づいて送信回路より送信された送信信号の信号長をカウントするカウンタ２４と、カウンタ２４のカウント値に基づいて送信アドレスおよび送信データを特定するので、送信装置にマイコンを搭載することなく、送信装置から送信した送信データを特定の受信装置で受信することができる。
【００７４】
また、受信装置２０は、送信装置１０より送信された送信信号を受信すると、該送信信号と同じ信号長の返信信号を送信装置に送信する受信信号送信部（２８ｂ〜２８ｅ）を備えたので、送信装置１０は、この返信信号に基づいて送信した送信信号が受信装置２０で正常に受信されたことを認識することができる。
【００７５】
また、送信装置１０は、返信信号（ＡＣＫ）の信号長が送信信号と異なる場合、送信回路に送信信号を再送信させる再送信制御部１９を備えたので、信頼性を向上することができる。
【００７６】
また、送信装置１０は、電力線３０に搬送波信号が重畳されているか否かを検出する搬送波モニタ１８を備え、送信回路は、搬送波モニタ１８により電力線３０に搬送波信号が重畳されていないことが検出された場合、送信信号を送信するので、電力線３０に他の送信信号や返信信号が重畳されているにもかかわらず送信信号を送信してしまうといったことを防止することがでいる。
【００７７】
また、受信装置２０は、送信信号の受信が完了してから第１の期間Ｔ０が経過した後、送信信号と同じ信号長の返信信号を送信装置に送信する返信信号送信部（２８ｂ〜２８ｅ）を備えているので、送信信号の受信が完了してから第１の期間Ｔ０が経過した後、送信信号と同じ信号長の返信信号を送信装置に送信することができる。
【００７８】
また、送信回路は、第１の期間Ｔ０よりも長い第２の期間Ｔ２、搬送波モニタ１８により電力線に搬送波信号が重畳されていないことが検出された場合、送信信号を送信するので、例えば、ある受信装置２０が送信信号の受信に応答して返信信号（ＡＣＫ）を送信しようとしているときに、他の送信装置１０が送信信号を送信してしまい、返信信号（ＡＣＫ）と送信信号が衝突してしまうといったことを防止することができる。
【００７９】
上記実施形態に示したように、本通信システムでは、送信装置１０が、送信データおよび送信アドレスに応じて信号長が異なるように規定された送信信号を送信する構成となっており、送信信号の送信途中で搬送波信号にノイズが重畳しても、送信信号の信号長に影響しないため、耐ノイズ性の高いシステムを構築することもできる。
【００８０】
また、例えば、データ伝送制御手順の１つであるＨＤＬＣ（Ｈｉｇｈ  Ｌｅｖｅｌ  Ｄａｔａ  Ｌｉｎｋ  Ｃｏｎｔｒｏｌ  ｐｒｏｃｅｄｕｒｅ）では、送受信装置間のフレームに、送受信装置間でフレーム同期をとるためのフラグシーケンスや誤り制御のためのＦＣＳ（Ｆｒａｍｅ  Ｃｈｅｃｋ  Ｓｅｑｕｅｎｃｅ）が含まれるための通信時間が長くなるが、本実施形態における通信システムでは、フラグシーケンスやＦＣＳを必要としないため、通信時間を短縮することもできる。
【００８１】
なお、本発明は上記実施形態に限定されるものではなく、本発明の趣旨に基づいて種々なる形態で実施することができる。
【００８２】
例えば、上記実施形態では、上記実施形態では、送信装置１０と受信装置２０の間を電力線を介して接続するようにしたが、通信線を介して接続するように構成することもできる。この場合、送信信号を搬送波信号として送信するように構成することもでき、送信信号をデジタル信号として送信するように構成することもできる。
【００８３】
また、上記実施形態では、車両に本通信システムを搭載した例を示したが、車両に搭載されたものに限定されるものでない。
【００８４】
また、上記実施形態では、受信装置２０のカウンタ２４を、４段のカウンタで構成したが、５段以上のカウンタで構成することもできる。すなわち、送信アドレスの値、送信データの値に合わせて受信装置２０のカウンタ２４のサイズを適宜変更することもできる。
【符号の説明】
【００８５】
１０  送信装置
１１  スイッチ群
１２  パルス発生器
１３  切替部
１４  電源切替部
１５  発振器
１６  送信機
１７  受信検波部
１８  受信検波部
１９  搬送波モニタ
２０  再送信制御部
２１  受信検波部
２２  電源切替部
２３  クロック生成部
２４  カウンタ
２５  デコーダ
２６  レジスタ
２７  データ処理部
２８ａ  パルス生成部
２８ｂ  遅延回路
２８ｃ  電源切替部
２８ｃ  発振器
２８ｅ  送信機
３０  電力線
３１  バッテリ
【図１】
2016063303.tif 000003
【図２】
2016063303.tif 000004
【図３】
2016063303.tif 000005
【図４】
2016063303.tif 000006
【図５】
2016063303.tif 000007